(57)【要約】【課題】  版張り作業を遠隔操作で行なうことのできる枚葉印刷機の版張り装置を提供する。【解決手段】  版胴１には、版胴の回転軸２と略平行に配置されたカム軸１２が設けられ、カム軸１２の端部には小歯車２０が取り付けられ、版胴の回転軸２には、小歯車２０を回転させるための大歯車２３が版胴の回転軸２に対して回転自在に取り付けられ、印刷装置本体には、大歯車２３の回転を停止させる停止装置２８が設けられ、版胴１を回転させた状態で、大歯車２３の回転を停止装置２８で停止させることにより、小歯車２０が大歯車２３の歯面上を転動し、カム軸１２を回動させて咥え尻側万力５が版１１の前後方向に移動するように版張り装置が構成されている。【選択図】      図６
2006168303.tif 000002
【特許請求の範囲】
【請求項１】
枚葉印刷機の版胴の版溝内に版万力装置を備え、前記版万力装置は前記版胴に固定された咥え側万力と、咥え尻側万力とを備え、前記咥え側万力は前記版胴の周方向に巻きつけられる版の前端部を咥え、前記咥え尻側万力は前記版の後端部を咥えるようになっており、前記版万力装置が前記版を咥えた状態で、前記咥え尻側万力が前記咥え側万力に対して前記版の前後方向へ移動可能に構成されている枚葉印刷機の版張り装置において、
前記版胴には、該版胴の回転軸と略平行に配置されたカム軸が設けられ、前記カム軸の端部には小歯車が取り付けられ、前記版胴の回転軸には、前記小歯車を回転させるための大歯車が前記版胴の回転軸に対して回転自在に取り付けられ、
印刷装置本体には、前記大歯車の回転を停止させる停止装置が設けられ、
前記版胴を回転させた状態で、前記大歯車の回転を前記停止装置で停止させることにより、前記小歯車が前記大歯車の歯面上を転動し、前記カム軸を回動させて前記咥え尻側万力が前記版の前後方向に移動するように構成されていることを特徴とする枚葉印刷機の版張り装置。
【請求項２】
前記版胴の回転軸には前記大歯車と一体に取り付けられたリング状部材が設けられ、前記リング状部材の外周面には凹部が設けられ、前記停止装置には、前記外周面の周方向に沿って転動可能な回転体と、該回転体を前記外周面に当接可能に移動させるアクチュエータとが設けられ、
前記アクチュエータを用いて前記回転体を前記外周面に当接させた状態で、前記回転体は前記外周面上を転動し、前記回転体が前記凹部に係合したときに前記リング状部材および大歯車の回転を停止させるように構成されていることを特徴とする請求項１に記載の枚葉印刷機の版張り装置。
【請求項３】
前記アクチュエータが前記回転体を前記外周面に当接させたときの押付力を可変に設定することができるようになっていることを特徴とする請求項２に記載の枚葉印刷機の版張り装置。
【請求項４】
前記凹部がＶ字形状に形成され、版張り量が一定の値に達した状態で、前記回転体が前記凹部から脱出するように構成されていることを特徴とする請求項２または請求項３に記載の枚葉印刷機の版張り装置。
【請求項５】
前記版張り量が版胴の回転した位相で確認できるようになっていることを特徴とする請求項１から請求項４のいずれかに記載の枚葉印刷機の版張り装置。
【請求項６】
前記停止装置の動作をリモコンで遠隔操作することができるように制御されていることを特徴とする請求項１から請求項５のいずれかに記載の枚葉印刷機の版張り装置。
【請求項７】
枚葉印刷機の版胴の版溝内に設けられた版万力装置の咥え側万力によって前記版胴の周方向に巻きつけられる版の前端部を咥えると共に、前記版万力装置の咥え尻側万力によって前記版の後端部を咥え、この状態で、前記咥え尻側万力を前記咥え側万力に対して前記版の前後方向へ移動させて版張りを行なう枚葉印刷機の版張り方法において、
前記版胴に設けられ、該版胴の回転軸と略平行に配置されたカム軸と、前記カム軸の端部に取り付けられた小歯車と、前記版胴の回転軸に回転自在に取り付けられ、前記小歯車を回転させるための大歯車と、印刷装置本体に設けられ、前記大歯車の回転を停止させる停止装置とを用い、
前記版胴を回転させた状態で、前記大歯車の回転を前記停止装置で停止させて、前記小歯車を前記大歯車の歯面上を転動させ、前記カム軸を回動させて前記咥え尻側万力を前記版の前後方向へ移動させて版張りを行なうことを特徴とする枚葉印刷機の版張り方法。
【請求項８】
前記大歯車と一体に取り付けられ、外周面に凹部を有するリング状部材を前記版胴の回転軸に設け、前記リング状部材の外周面の周方向に沿って転動可能な回転体と、該回転体を前記外周面に当接可能に移動させるアクチュエータとを前記停止装置に設け、
前記アクチュエータにより前記回転体を前記リング状部材の外周面に当接させながら前記外周面上を転動させ、前記回転体が前記凹部に係合したときに前記リング状部材および大歯車の回転を停止させることを特徴とする請求項１に記載の枚葉印刷機の版張り方法。
【発明の詳細な説明】
【技術分野】
【０００１】
本発明は、版胴に版を取り付け、さらに取り付けた版を天地方向（版の前後方向）へ伸展させることができる枚葉印刷機の版張り装置であって、この版張り作業を遠隔で操作することができる版張り装置及び版張り方法に関するものである。
【背景技術】
【０００２】
輪転印刷機には連続的にウェブ（印刷紙）を供給するウェブ式輪転印刷機や、間欠的に印刷紙であるシートを供給する枚葉印刷機等の種々の形式がある。一般的な枚葉印刷機は図８に示すように、給紙装置５６、複数組みの印刷装置５５ａ〜５５ｄ、排紙装置５７及び排紙装置５７の下流端下側に設けたシート積重装置５８等々によって構成されている。給紙装置５６から１枚ずつ送り出されたシート６１は次工程印刷装置５５を経由する途中で所定の印刷が施され、続いて排紙装置５７の下方に位置するシート積重装置５８の排紙テーブル上へ積重された後、所定枚数の束として外部へ搬出されることになる。なお、図８においてＦＬはフロアを示し、Ｔは中間胴を示す。このような枚葉印刷機では、インキ色の異なる複数組みの印刷装置５５ａ〜５５ｄをシート６１の進行方に並設しており、該印刷装置５５ａ〜５５ｄへ順次シート６１へ通紙させ、インキを重ね合わせることによって、多色印刷ができるように構成されている。
【０００３】
版胴６２には、例えば特許文献１に示すように、版１１を取り付けるための版万力装置が設けられている。この版万力装置は、図９に示す咥え側万力Ｒと、図１０に示す咥え尻側万力Ｓにより構成されている。版１１の装着は、まず咥え側万力Ｒにおいて開口した上歯５２と下歯５３の中間に版１１の前端を挿入して把持させ、続いて押さえローラ５４にて版１１の表面を押しつけた状態で版胴６２を図９中の矢印Ｘの方向に回転させた後、最後に咥え尻側万力Ｓによって開口した上歯６４と下歯６５の中間へ版１１の後端折り曲げ部を挿入して把持させることにより行なわれる。
【０００４】
次に、印刷装置５５のインキ供給部から順次転移したインキは、版胴６２へ装着した版１１から図８に示すブランケット胴（ゴム胴）５９へ転写され、さらにブランケット胴５９と圧胴６０の中間を走行するシート６１へ転写され、これによって、印刷が行なわれることになる。
【０００５】
このような多色印刷を施す印刷機では、印刷装置５５ａ〜５５ｄのそれぞれによってシート６１上に印刷を施した絵柄が、咥え側から咥え尻側へ向かうに従い湿し水の付加、あるいはブランケット胴５９からの印圧等によってシート６１が徐々に天地方向（版１１の前後方向）へ伸びることがある。この伸びによって、平行および直角が歪み、同一シート６１上に転写する絵柄（インキ）がずれるといった見当ずれ（ファンアウト）が発生する。したがって、上記見当ずれによって印刷面が不鮮明になる等品質を著しく低下させるといった問題が生じてしまう。
【０００６】
そのため、枚葉印刷機では、上記見当ずれのうち、天地方向の見当ずれをなくすために、版１１を天地方向に版張りして、印刷のずれを補正している。例えば、咥え尻側万力Ｓには、版１１を把持した状態で咥え尻側万力Ｓを図１０の右側へ移動させることができるような機構が設けられている。この機構は、版胴６２の軸方向に間隔を置いて複数箇所設置されている図示しないジャッキボルトで構成されており、このジャッキボルトは、版胴６２の版溝の壁面を押圧して咥え尻側万力Ｓを版胴の壁面から遠ざけて、咥え側万力Ｒに近づけるように作用している。このジャッキボルトによって、装着した版１１に所定の張力を付加させることができると共に、上述した見当ずれが発生した場合に版１１を天地方向に張ることができるようになっている。
【特許文献１】特開２０００−２４６８７０号公報
【発明の開示】
【発明が解決しようとする課題】
【０００７】
しかしながら、上述のジャッキボルトを用いた構造では、版胴６２の軸方向に複数箇所設置されているジャッキボルトをすべて調整しなければならないため、調整作業に時間がかかっていた。また、ジャッキボルトを用いた調整では、咥え尻側万力Ｓを適度な調整位置に移動させるためには何回もジャッキボルトを操作しては印刷し、見当を確認しては操作しなければならないため、作業が面倒であった。さらに、次ジョブのための版１１と交換する場合には、ジャッキボルトを緩めて交換した後に、版１１がまた同じ張り状態になるように同じ位置にジャッキボルトを調整しなければならないため、作業が複雑であった。さらにまた、この調整は、作業者が版胴６２の設置されている場所まで行って安全かバーを開いて作業をしなければできないので、作業者にかかる労力が大きかった。
【０００８】
本発明の目的は、ジャッキボルトを用いずに、版の前後方向に対して版を一括して張ることのできる枚葉印刷機の版張り装置及び版張り方法を提供することにある。また、版を版胴になじませるための版張り作業（標準版張り作業）と、見当ずれが生じたときに版を天地方向に張る作業（版張り作業）とを１つの装置で段階を踏んで行なうことができる版張り装置及び版張り方法を提供することにある。さらにまた、この版張り作業を遠隔で操作することができる版張り装置及び版張り方法を提供することにある。
【課題を解決するための手段】
【０００９】
本発明では、枚葉印刷機の版胴の版溝内に版万力装置を備え、前記版万力装置は前記版胴に固定された咥え側万力と、咥え尻側万力とを備え、前記咥え側万力は前記版胴の周方向に巻きつけられる版の前端部を咥え、前記咥え尻側万力は前記版の後端部を咥えるようになっており、前記版万力装置が前記版を咥えた状態で、前記咥え尻側万力が前記咥え側万力に対して前記版の前後方向へ移動可能に構成されている枚葉印刷機の版張り装置において、前記版胴には、該版胴の回転軸と略平行に配置されたカム軸が設けられ、前記カム軸の端部には小歯車が取り付けられ、前記版胴の回転軸には、前記小歯車を回転させるための大歯車が前記版胴の回転軸に対して回転自在に取り付けられ、印刷装置本体には、前記大歯車の回転を停止させる停止装置が設けられ、前記版胴を回転させた状態で、前記大歯車の回転を前記停止装置で停止させることにより、前記小歯車が前記大歯車の歯面上を転動し、前記カム軸を回動させて前記咥え尻側万力が前記版の前後方向に移動するように構成されている。
【００１０】
前記版胴の回転軸には前記大歯車と一体に取り付けられたリング状部材が設けられ、前記リング状部材の外周面には凹部が設けられ、前記停止装置には、前記外周面の周方向に沿って転動可能な回転体と、該回転体を前記外周面に当接可能に移動させるアクチュエータとが設けられ、前記アクチュエータを用いて前記回転体を前記外周面に当接させた状態で、前記回転体は前記外周面上を転動し、前記回転体が前記凹部に係合したときに前記リング状部材および大歯車の回転を停止させるように構成されている。
また、前記アクチュエータが前記回転体を前記外周面に当接させたときの押付力を可変に設定することができるようになっている。
さらに、前記版張り量が版胴の回転した位相で確認できるようになっている。
さらにまた、前記凹部がＶ字形状に形成され、版張り量が一定の値に達した状態で、前記回転体が前記凹部から脱出するように構成されている。
前記停止装置の動作をリモコンで遠隔操作することができるように制御されている。
【００１１】
また、本発明では、枚葉印刷機の版胴の版溝内に設けられた版万力装置の咥え側万力によって前記版胴の周方向に巻きつけられる版の前端部を咥えると共に、前記版万力装置の咥え尻側万力によって前記版の後端部を咥え、この状態で、前記咥え尻側万力を前記咥え側万力に対して前記版の前後方向へ移動させて版張りを行なう枚葉印刷機の版張り方法において、前記版胴に設けられ、該版胴の回転軸と略平行に配置されたカム軸と、前記カム軸の端部に取り付けられた小歯車と、前記版胴の回転軸に回転自在に取り付けられ、前記小歯車を回転させるための大歯車と、印刷装置本体に設けられ、前記大歯車の回転を停止させる停止装置とを用い、前記版胴を回転させた状態で、前記大歯車の回転を前記停止装置で停止させて、前記小歯車を前記大歯車の歯面上を転動させ、前記カム軸を回動させて前記咥え尻側万力を前記版の前後方向へ移動させて版張りを行なっている。
さらに、前記大歯車と一体に取り付けられ、外周面に凹部を有するリング状部材を前記版胴の回転軸に設け、前記リング状部材の外周面の周方向に沿って転動可能な回転体と、該回転体を前記外周面に当接可能に移動させるアクチュエータとを前記停止装置に設け、前記アクチュエータにより前記回転体を前記リング状部材の外周面に当接させながら前記外周面上を転動させ、前記回転体が前記凹部に係合したときに前記リング状部材および大歯車の回転を停止させている。
【発明の効果】
【００１２】
本発明では、枚葉印刷機の版胴の版溝内に版万力装置を備え、前記版万力装置は前記版胴に固定された咥え側万力と、咥え尻側万力とを備え、前記咥え側万力は前記版胴の周方向に巻きつけられる版の前端部を咥え、前記咥え尻側万力は前記版の後端部を咥えるようになっており、前記版万力装置が前記版を咥えた状態で、前記咥え尻側万力が前記咥え側万力に対して前記版の前後方向へ移動可能に構成されている枚葉印刷機の版張り装置において、前記版胴には、該版胴の回転軸と略平行に配置されたカム軸が設けられ、前記カム軸の端部には小歯車が取り付けられ、前記版胴の回転軸には、前記小歯車を回転させるための大歯車が前記版胴の回転軸に対して回転自在に取り付けられ、印刷装置本体には、前記大歯車の回転を停止させる停止装置が設けられ、前記版胴を回転させた状態で、前記大歯車の回転を前記停止装置で停止させることにより、前記小歯車が前記大歯車の歯面上を転動し、前記カム軸を回動させて前記咥え尻側万力が前記版の前後方向に移動するように構成されているので、カム軸を機械的に回動させて版の版張りを行なうことができる。これにより、作業者が手動でジャッキボルトを調整していた作業を全て機械的に行なうことができ、作業者の作業時間を短縮することができると共に作業の軽減を図ることができる。また、この版張りは、版胴の回転を利用して行なうので、回転する版胴の中にモータ等の駆動手段を設ける必要がないため、簡単な構成で実施することができる。
【００１３】
前記版胴の回転軸には前記大歯車と一体に取り付けられたリング状部材が設けられ、前記リング状部材の外周面には凹部が設けられ、前記停止装置には、前記外周面の周方向に沿って転動可能な回転体と、該回転体を前記外周面に当接可能に移動させるアクチュエータとが設けられ、前記アクチュエータを用いて前記回転体を前記外周面に当接させた状態で、前記回転体は前記外周面上を転動し、前記回転体が前記凹部に係合したときに前記リング状部材および大歯車の回転を停止させるように構成されているので、回転体を外周面に当接させるだけの簡単な構造で容易に大歯車の回転を停止させることができる。
また、前記アクチュエータが前記回転体を前記外周面に当接させたときの押付力を可変に設定することができるようになっているので、前記版張り量を上記押付力で管理することができる。
さらに、前記凹部がＶ字形状に形成され、版張り量が一定の値に達した状態で、前記回転体が前記凹部から脱出するように構成されているので、版を張るときに版に過大な張力をかけて版が切れることがない。
また、前記版張り量が版胴の回転した位相で確認できるようになっているので、版張り量と回転位相の関係を把握すれば、版張り量を管理することができる。これにより、版を新しいものと交換するために版の張力を緩めても、張力が同じになるように再設定することが容易である。
さらにまた、前記停止装置の動作をリモコンで遠隔操作することができるように制御されているので、作業者が印刷機本体に行って安全カバーを開いて版張り調整作業を行なうことができる。これにより、作業時間を短縮することができると共に作業の軽減を図ることができる。
【００１４】
また、本発明では、枚葉印刷機の版胴の版溝内に設けられた版万力装置の咥え側万力によって前記版胴の周方向に巻きつけられる版の前端部を咥えると共に、前記版万力装置の咥え尻側万力によって前記版の後端部を咥え、この状態で、前記咥え尻側万力を前記咥え側万力に対して前記版の前後方向へ移動させて版張りを行う枚葉印刷機の版張り方法において、前記版胴に設けられ、該版胴の回転軸と略平行に配置されたカム軸と、前記カム軸の端部に取り付けられた小歯車と、前記版胴の回転軸に回転自在に取り付けられ、前記小歯車を回転させるための大歯車と、印刷装置本体に設けられ、前記大歯車の回転を停止させる停止装置とを用い、前記版胴を回転させた状態で、前記大歯車の回転を前記停止装置で停止させて、前記小歯車を前記大歯車の歯面上を転動させ、前記カム軸を回動させて前記咥え尻側万力を前記版の前後方向へ移動させて版張りを行うので、上記発明と同様の効果が得られる。
さらに、前記大歯車と一体に取り付けられ、外周面に凹部を有するリング状部材を前記版胴の回転軸に設け、前記リング状部材の外周面の周方向に沿って転動可能な回転体と、該回転体を前記外周面に当接可能に移動させるアクチュエータとを前記停止装置に設け、  前記アクチュエータにより前記回転体を前記リング状部材の外周面に当接させながら前記外周面上を転動させ、前記回転体が前記凹部に係合したときに前記リング状部材および大歯車の回転を停止させるので、回転体を外周面に当接させるだけの簡単な操作で容易に大歯車の回転を停止させることができる。
【発明を実施するための最良の形態】
【００１５】
以下、本発明の実施の形態に係る枚葉印刷機の版張り装置及び版張り方法について、図１〜図７を用いて詳細に説明する。
【００１６】
図１は、本発明の実施の形態に係る版胴の斜視図である。版胴１には、版胴１の回転軸２の長手方向に沿って版溝３が設けられ、この版溝３の溝内には、印刷用の版を取り付けるための版万力装置４が設けられている。この版万力装置４は、版胴１に対して移動可能な咥え尻側万力５と、版胴１に固定されている咥え側万力６（図３参照）とで構成されている。なお、図１に示す版胴１には、咥え尻側万力５を詳細に示すために咥え側万力６を省略している。
【００１７】
咥え尻側万力５は、長手方向に対して４分割で構成されており、この４分割のうちの１つを図２に拡大して示す。この咥え尻側万力５には、長手方向に延びる上歯７および下歯８が設けられている。この上歯７には版胴１の長手方向に沿って延びる軸９が設けられている。この軸９を中心に上歯７が回動して下歯８と噛み合い、この噛み合い部１０で版１１（図３参照）の版尻（版の後端部）が咥えられることになる。なお、図２では後述するばね受け１７を省略して示している。また、咥え尻側万力５は、長手方向に対して４分割以外で構成されも良い。
【００１８】
図３は、図１のＡ−Ａ線に沿って切断した断面図であって、版胴１に版１１が巻かれて取り付けられた状態を示している。版胴１には、版胴１の軸方向に沿って延びるカム軸１２が設けられている。カム軸１２は略円筒形状を有しており、図３に示す断面形状において、その外周面の一部が削られて平面部１２ａが形成されている。そして、この平面部１２ａを除く部分の外周面部（以下、弧面部１２ｂという）の形状は、図３に示す断面形状において、平面部１２ａの一端部１２ｃから他端部１２ｄまで反時計回りに進むに従い、カム軸１２の回転中心から半径方向への距離が徐々に長くなるように形成されている。この平面部１２ａおよび弧面部１２ｂによりカム面が構成されている。
【００１９】
一方、下歯８の本体８ａには、カム軸１２と直交する方向であって、カム軸１２側から咥え側万力６側に向かって貫通孔８ｂが形成されている。この貫通孔８ｂのカム軸側の開口端部には、貫通穴８ｂの内周面から貫通孔８ｂの中心軸に向かって突出する係合部１３が設けられている。また、貫通孔８ｂの咥え側万力側の開口端部には、貫通孔８ｂの開口を覆うように後述するばね受け１７が設けられている。このばね受け１７は、ボルト１８等によって下歯本体８ａに取り付けられている。
【００２０】
この貫通孔８ｂの内部には、貫通孔８ｂの貫通する方向に移動可能なピン１４と、このピン１４をカム軸１２の方向に付勢するばね１５が設けられている。このピン１４は、略円柱形状に形成され、この円柱形状の中心軸が貫通孔８ｂの中心軸と略一致するように組み立てられており、これらの中心軸に沿ってピン１４が移動するようになっている。このピン１４の外周面には、ピン１４の半径外側方向に向けて突出するフランジ部１６がピン１４の円周方向に連続して設けられている。このフランジ部１６のカム軸側に向いた面（以下、カム軸側面という）１６ａは、下歯本体８ａ側の係合部１３と当接するようになっている。他方、フランジ部１６の咥え側万力側に向いた面（以下、咥え側万力側面という）１６ｂには、ばね１５の一端側が当接するようになっている。なお、ばね１５の他端側は、ばね受け１７と当接している。
【００２１】
下歯本体８ａには、係合部１３とカム軸１２の間に当て板１９が設けられている。この当て板１９は当接面１９ａを備えており、この当接面１９ａは貫通孔８ｂの軸線と略直交するように取り付けられている。また、当て板１９には、この当接面１９ａからピン１４の先端部１４ａが突出することができるように、貫通孔８ｂ側からカム軸側に向かって貫通する突出用孔１９ｂが設けられている。
【００２２】
図６および図７は、版胴の長手方向の端部に設けられた自動版張り装置を示す。カム軸１２の軸端部１２ｅは版胴１の端部から突出しており、この軸端部１２ｅにはギヤ（小歯車）２０が取り付けられている。この軸端部は、ギヤボックス等に設けられた図示しない軸受で支持されている。一方、版胴の回転軸２の軸端部２ａも版胴１の端部から突出しており、この軸端部２ａには版胴追従装置２１が取り付けられている。この版胴追従装置２１は、版胴の回転軸２に対して回転自在に取り付けられている。
【００２３】
版胴追従装置２１には、取付ボス２２と、この取付ボス２２にセクタギヤ（大歯車）２３およびリング状部材２４とが取り付けられている。取付ボス２２にはメタル（滑り軸受）２５が設けられ、このメタル２５によって取付ボス２２が版胴の回転軸２に支持されている。セクタギヤ２３は、ピッチ円の中心が版胴の回転軸２の回転中心と同心状に組み立てられており、セクタギヤ２３とギヤ２０とが噛み合っている。リング状部材２４は、セクタギヤ２３よりもさらに版胴１の外側に取り付けられている。このリング状部材２４は、略円板状に形成されており、取付ボス２２に取り付けるための取付穴２４ａがその板状の中心部に形成されている。また、リング状部材２４の外周面２４ｂには、凹部（Ｖ溝）２４ｃが形成されている。このリング状部材２４の中心も版胴の回転軸２の回転中心と同心状に取り付けられている。
【００２４】
図示しない印刷装置本体には、停止装置２８が設けられている。この停止装置２８には、アーム部材２６と、アーム部材２６の先端部に取り付けられたカムフォロア（回転体）２７と、図示しないアクチュエータおよび制御装置を備えている。アーム部材２６は、アクチュエータ（例えば、エアシリンダまたは油圧シリンダ）によって回動または直動するように取り付けられ、カムフォロア２７がリング状部材２４の外周面２４ｂ上に押し当てられるように構成されている。なお、アクチュエータは図示しない減圧弁に接続され、この減圧弁によってカムフォロア２７が外周面２４ｂに当接するときの押付力を制御するようになっている。また、このアクチュエータは、リモコンで遠隔操作することができる。
【００２５】
次に、本発明の実施の形態に係る枚葉印刷機の版張り装置の作用について、図３から図５を用いて詳細に説明する。
図３は、咥え側万力６および咥え尻側万力５に版１１の上端部１１ａおよび下端部１１ｂを咥えさせた状態を示す。この状態では、版１１は張られていない。カム軸１２の平面部１２ａは咥え尻側万力５に面する方向に向けられており、ピン１４はばね１５に付勢され、カム軸側面１６ａと係合部１３とが当接している。
【００２６】
図４は、咥えさせた版１１を一定の張力で張り、版１１を版胴表面に密着させた状態を示す。この状態を標準版張りと呼び、この標準版張り状態を初期状態として印刷が行なわれることになる。この図では、カム軸１２を図３の状態から時計回りに回動させ、ピン１４の先端部１４ａと当て板１９の当接面とが面一になった状態を示している。この状態では、ピン１４がカム軸１２のカム面によって咥え側万力６の方へ押圧されることにより、ピン１４の咥え側万力側面１６ｂがばね１５を圧縮させ、ばね１５が下歯本体８ａを咥え側万力６の方へばね力によって移動させている。なお、咥え尻側万力６の下側には、図示しない案内装置が設けられており、咥え尻側万力６が版１１の天地方向に滑らかに移動できるようになっている。
【００２７】
図５は、カム軸１２を図４の状態からさらに時計回りに回動させた状態を示している。この状態では、弧面部１２ｂが当接面１９ａと当接して下歯本体８ａを咥え側万力６の方へさらに動かしている。この下歯本体８ａは、カム軸１２の回動角度が大きくなるほど咥え側万力６の方へ大きく移動することになる。この動作は、版張りと呼ばれ印刷を継続して行なっている途中で版ずれが生じた場合に行なわれる。
【００２８】
次に、カム軸１２を回動させるための動作について図６および図７を用いて説明する。版胴１が回転し、印刷を行なっている状態では、カムフォロア２７はリング状部材２４の外周面２４ｂと当接しない位置にある。この状態では、版胴追従装置２１は版胴１と共に回転している。印刷中、見当ずれにより版１１を天地方向に張る必要が生じた場合、作業者は図示しない制御装置を操作して、停止装置２８のカムフォロア２７をリング状部材２４の外周面２４ｂに一定の押し圧力で当接させるようにする。なお、この制御装置の操作は、遠隔操作により行なうことができ、印刷装置本体の設置場所に行く必要はない。
【００２９】
当接したカムフォロア２７は、回転しているリング状部材２４の外周面２４ｂ上を転動し、ある位置で外周面２４ｂ上の凹部２４ｃにはまり込む。カムフォロア２７が凹部２４ｃにはまり込むと、版胴追従装置２１は回転を抑止される。版胴追従装置２１が回転を停止した状態であっても版胴の回転軸２と版胴追従装置２１とはメタル２５で取り付けられているので、版胴１の回転を停止させることはない。
【００３０】
版胴追従装置２１が停止すると、ギヤ２０はセクタギヤ２３の歯面と噛み合いながらこのセクタギヤ２３のピッチ円の円周方向に沿って回転しながら移動する。このギヤ２０の回転によってカム軸１２が回転し、版１１の版張りが行なわれる。
【００３１】
版１１が一定量だけ張られると、版の張力は、ギヤ２０を介してセクタギヤ２３を版胴１と共に回転させようとする。この回転させようとする力が、カムフォロア２７が凹部２４ｃにはまり込んで版胴追従装置２１を停止させようとする力より大きくなると、カムフォロア２７は凹部２４ｃから脱出する。
【００３２】
なお、版張り量は、版胴１の回転する位相と比例するので、作業者は停止装置２８が作動した後の版胴１の回転位相を管理することにより版張り量を調整することができる。
【００３３】
また、版１１を版張りする量はカム軸１２の回転量と比例し、カム軸１２の回転量はカムフォロア２７を当接させる押付力に比例するので、作業者はこの押付力を管理することにより版張り量を調整することもできる。
【００３４】
本発明の実施の形態に係る版張り装置では、カム軸１２を機械的に回動させて版１１の版張りを行なうことができる。また、リング状部材２４の外周面２４ｂをカムフォロア２７が転動し、カムフォロア２７が外周面２４ｂの凹部２４ｃと係合することでセクタギヤ２３の回転を停止させることができる。
【００３５】
さらに、版１１の版張り量を、版胴１の回転位相またはカムフォロア２７の押付力で管理することができる。また、カムフォロア２７が凹部２４ｃから脱出するようになっているので、版１１に過大な張力をかけることがない。さらにまた、作業者が印刷機本体に行かずに版張り調整作業を行なうことができる。
【図面の簡単な説明】
【００３６】
【図１】本発明の実施の形態に係る枚葉印刷機の版張り装置に使用される版胴の斜視図であって版溝の中に咥え尻側万力のみを組み込んだ状態を示す外観図である。
【図２】本発明の実施の形態に係る咥え尻側万力であって、版胴の長手方向に沿って４分割されているうちの１つを拡大して示す斜視図である。
【図３】本発明の実施の形態に係る版胴を長手方向に対して直角な面で切断した状態を示す断面図であって、取り付けられる版に対して標準版張りをする前の状態を示す図である。
【図４】本発明の実施の形態に係る版胴を長手方向に対して直角な面で切断した状態を示す断面図であって、図３の状態からカム軸を回動させて、標準版張りが完了した状態を示す図である。
【図５】本発明の実施の形態に係る版胴を長手方向に対して直角な面で切断した状態を示す断面図であって、図４の状態からカム軸をさらに回動させて、版張りをしている状態を示す図である。
【図６】本発明の実施の形態に係る版胴の回転軸の端部を示す概要図である。
【図７】本発明の実施の形態に係る版胴の回転軸の端部を示す図であって、図５の側面図である。
【図８】従来の一般的な枚葉印刷機の全体的な概略を示す構成図である。
【図９】版胴を長手方向に対して直角な面で切断した状態を示す断面図であって、従来の咥え側万力の構造の一例を示す図である。
【図１０】版胴を長手方向に対して直角な面で切断した状態を示す断面図であって、従来の咥え尻側万力の構造の一例を示す図である。
【符号の説明】
【００３７】
１  版胴
２  版胴の回転軸
２ａ  軸端部
３  版溝
４  版万力装置
５  咥え尻側万力
６  咥え側万力
７  上歯
８  下歯
８ａ  下歯の本体
８ｂ  貫通孔
９  軸
１０  噛み合い部
１１  版
１１ａ  前端部
１１ｂ  後端部
１２  カム軸
１２ａ  平面部
１２ｂ  弧面部
１２ｃ  一端部
１２ｄ  他端部
１２ｅ  軸端部
１３  係合部
１４  ピン
１４ａ  先端部
１５  ばね
１６  フランジ部
１６ａ  カム軸側面
１６ｂ  咥え側万力側面
１７  ばね受け
１８  ボルト
１９  当て板
１９ａ  当接面
２０  ギヤ（小歯車）
２１  版胴追従装置
２２  取付ボス
２３  セクタギヤ（大歯車）
２４  リング状部材
２４ａ  取付穴
２４ｂ  外周面
２４ｃ  凹部
２５  メタル
２６  アーム部材
２７  カムフォロア（回転体）
２８  停止装置
５２  上歯
５３  下歯
５４  押さえローラ
５５ａ〜５５ｄ  印刷装置
５６  給紙装置
５７  排紙装置
５８  シート積重装置
５９  ブランケット胴
６０  圧胴
６１  シート
６２  版胴
６４  上歯
６５  下歯
Ｒ  咥え側万力
Ｓ  咥え尻側万力
Ｔ  中間胴
ＦＬ  フロア
【図１】
2006168303.tif 000003
【図２】
2006168303.tif 000004
【図３】
2006168303.tif 000005
【図４】
2006168303.tif 000006
【図５】
2006168303.tif 000007
【図６】
2006168303.tif 000008
【図７】
2006168303.tif 000009
【図８】
2006168303.tif 000010
【図９】
2006168303.tif 000011
【図１０】
2006168303.tif 000012